(57)【要約】【課題】  作業者が手摺の内側から板ガラスの装着作業をすることができるとともにガラスを横移動することのできるガラス持出し手摺を提供すること。【解決手段】  コンクリート躯体から立設された支柱と、該支柱の下端近傍に固着される下枠ブラケットと、該下枠ブラケットに取り付けられ支柱間に架け渡されるガラス下枠と、前記支柱頭部に取り付けられたガイドプレートと、該ガイドプレートの先端に取り付けられたガスケット枠と、該ガイドプレートの上に取り付けられた笠木受けと、前記笠木受けの上に取り付けられ、支柱間に架け渡される笠木とから構成され、板ガラスの下端を前記ガラス下枠で支持するとともに、板ガラスの上端を前記ガスケット枠と前記笠木受けの一部で狭持するので、作業者が手摺の内側から板ガラスの装着作業をすることができるとともにガラスを横移動することができる。【選択図】  図１
2006037589.tif 000002
【特許請求の範囲】
【請求項１】
コンクリート躯体から立設された支柱と、
該支柱の下端近傍に固着される下枠ブラケットと、
該下枠ブラケットに取り付けられ支柱間に架け渡されるガラス下枠と、
前記支柱頭部に取り付けられたガイドプレートと、
該ガイドプレートの先端に取り付けられたガスケット枠と
該ガイドプレートの上に取り付けられた笠木受けと、
前記笠木受けの上に取り付けられ、支柱間に架け渡される笠木とから構成され、板ガラスの下端を前記ガラス下枠で支持するとともに、板ガラスの上端を前記ガスケット枠と前記笠木受けの一部で狭持することを特徴とするガラス持出し手摺。
【請求項２】
前記笠木受けは、シーリング材を介してガラスを支える支持片と、該支持片とほぼ平行に立設された第１の爪と、
上面のベランダ側に立設された第２の爪とを有し、
前記笠木は、ガスケット枠及びガスケット枠取り付け部の先端と係合する前面垂下片と、
前記笠木受けの第１の爪と係合する第１の係合爪と、
前記笠木受けの第２の爪と係合する第２の係合爪とを有し、
上から装着した笠木を水平方向に移動することにより、笠木受けの第１の爪に笠木の第１の係合爪を、笠木受けの第２の爪に笠木の第２の係合爪を係合させて両部材を組み合わせた後、ビスで固定することを特徴とする請求項１に記載のガラス持出し手摺。
【請求項３】
前記ガイドプレートは、細幅の首部でガスケット枠取り付け部と接続され、上面側から板ガラスを挿入できることを特徴とする請求項１または２に記載のガラス持出し手摺。  
【請求項４】
前記ガイドプレートは、基板部とガスケット枠取り付け部にそれぞれ一部を下方に向かって切り下げた複数の係止爪を備えたことを特徴とする請求項１〜３の何れか１に記載のガラス持出し手摺。  
【発明の詳細な説明】
【技術分野】
【０００１】
本発明は、ビル等の屋上階やベランダ等に取り付ける落下防止用のガラス持出し手摺に関するものである。
【背景技術】
【０００２】
従来、ビルの屋上やベランダ等には落下防止用の手摺が設置されている。これらの手摺の内、ガラスを装着したものにあっては、工事の際に作業者が足場を組んで手摺の外側から取り付け作業を行う必要があり、危険を伴うものであった。また、経年後にガラスを破損した場合にも、その交換作業においてもその都度足場が必要であった。
【発明の開示】
【発明が解決しようとする課題】
【０００３】
しかし、従来のガラス持出し手摺では、足場を設置しなければならず、作業が大変であった。
また、ガラスが破損した場合に、その交換作業を行う際にも、足場を設置しなければならず費用と時間を要するものであった。
更に、ガラス枠に挿入した板ガラスを横方向に移動することができない為に、それぞれの板ガラス取り付け位置において、板ガラスの取り付け作業を行う必要があった。
【課題を解決するための手段】
【０００４】
前記目的を達成するために、請求項１に記載の発明は、コンクリート躯体から立設された支柱と、該支柱の下端近傍に固着される下枠ブラケットと、該下枠ブラケットに取り付けられ支柱間に架け渡されるガラス下枠と、前記支柱頭部に取り付けられたガイドプレートと、該ガイドプレートの先端に取り付けられたガスケット枠と、該ガイドプレートの上に取り付けられた笠木受けと、前記笠木受けの上に取り付けられ、支柱間に架け渡される笠木とから構成され、板ガラスの下端を前記ガラス下枠で支持するとともに、板ガラスの上端を前記ガスケット枠と前記笠木受けの一部で狭持することを特徴としている。
【０００５】
また、請求項２に記載の発明において、前記笠木受けは、シーリング材を介してガラスを支える支持片と、該支持片とほぼ平行に立設された第１の爪と、上面のベランダ側に立設された第２の爪とを有し、前記笠木は、ガスケット枠及びガスケット枠取り付け部の先端と係合する前面垂下片と、前記笠木受けの第１の爪と係合する第１の係合爪と、前記笠木受けの第２の爪と係合する第２の係合爪とを有し、上から装着した笠木を水平方向に移動することにより、笠木受けの第１の爪に笠木の第１の係合爪を、笠木受けの第２の爪に笠木の第２の係合爪を係合させて両部材を組み合わせた後、ビスで固定することを特徴とするものである。
【０００６】
また、請求項３に記載の発明において、前記ガイドプレートは、細幅の首部でガスケット枠取り付け部と接続され、上面側から板ガラスを挿入できることを特徴とするものである。
【０００７】
また、請求項４に記載の発明において、前記ガイドプレートは、基板部とガスケット枠取り付け部にそれぞれ一部を下方に向かって切り下げた複数の係止爪を備えたことを特徴とするものである。
【発明の効果】
【０００８】
この発明は前記した構成からなるので、以下に説明するような効果を奏することができる。
【０００９】
請求項１に記載の発明では、コンクリート躯体から立設された支柱と、該支柱の下端近傍に固着される下枠ブラケットと、該下枠ブラケットに取り付けられ支柱間に架け渡されるガラス下枠と、前記支柱頭部に取り付けられたガイドプレートと、該ガイドプレートの先端に取り付けられたガスケット枠と、該ガイドプレートの上に取り付けられた笠木受けと、前記笠木受けの上に取り付けられ、支柱間に架け渡される笠木とから構成され、板ガラスの下端を前記ガラス下枠で支持するとともに、板ガラスの上端を前記ガスケット枠と前記笠木受けの一部で狭持するので、笠木を取り外すことにより、上から板ガラスを落とし込んで作業をすることができる。また、取り付け作業を手摺の内側から安全に行うことができる。したがって、従来のように足場等を設置する必要がない。更に、板ガラスを横方向に移動することができるので、一箇所から落とし込んだ板ガラスを左右方向に移動することで安全に作業することができる。
【００１０】
また、請求項２に記載の発明において、前記笠木受けは、シーリング材を介してガラスを支える支持片と、該支持片とほぼ平行に立設された第１の爪と、上面のベランダ側に立設された第２の爪とを有し、前記笠木は、ガスケット枠及びガスケット枠取り付け部の先端と係合する前面垂下片と、前記笠木受けの第１の爪と係合する第１の係合爪と、前記笠木受けの第２の爪と係合する第２の係合爪とを有し、上から装着した笠木を水平方向に移動することにより、笠木受けの第１の爪に笠木の第１の係合爪を、笠木受けの第２の爪に笠木の第２の係合爪を係合させて両部材を組み合わせた後、ビスで固定するので、一箇所のビス止め作業により板ガラスを確実に保持することができる。また、このビスを外すことにより笠木を取り外すことができ、全ての作業を手摺の内側から行うことができる。
【００１１】
また、請求項３に記載の発明において、前記ガイドプレートは、細幅の首部でガスケット枠取り付け部と接続され、上面側から板ガラスを挿入できるので、挿入した板ガラスを横方向に移動することができ、板ガラス取り付け作業の簡易化を図ることができる。
【００１２】
また、請求項４に記載の発明において、前記ガイドプレートは、基板部とガスケット枠取り付け部にそれぞれ一部を下方に向かって切り下げた複数の係止爪を備えたので、ガイドプレートと笠木受けは共締めされるので、支柱頭部とガスケット枠との組付精度を極めて良好にすることができる。又、ひいては笠木受け笠木との組付精度を良好にする事ができる。
【発明を実施するための最良の形態】
【００１３】
本発明は、板ガラスの取り付け作業を手摺の内側から行うことができるとともにガラスを横方向にスライドすることのできるガラス持出し手摺を実現した。
【実施例１】
【００１４】
以下、一実施の形態を示す図面に基づいて本発明を詳細に説明する。図１は本発明に係るガラス持出し手摺の一例を示す正面図、図２は本発明のガラス持出し手摺の一部を省略した拡大縦断面図、図３は本発明のガラス持出し手摺の支柱頭部近傍を示す縦断面図である。ここで、ガラス持出し手摺１０は、コンクリート躯体１１から立設された支柱１２と、該支柱１２の下端近傍に固着される下枠ブラケット１３と、該下枠ブラケット１３に取り付けられ支柱間に架け渡されるガラス下枠１４と、前記支柱頭部に取り付けられたガイドプレート１５と、該ガイドプレート１５の先端に取り付けられたガスケット枠１６と、該ガイドプレート１５の上に取り付けられた笠木受け１７と、前記笠木受け１７の上に取り付けられ、支柱１２間に架け渡される笠木１８とから構成されている。
【００１５】
支柱１２の基端１２ａは、コンクリート躯体１１内に埋設固定される。埋め込み深さは、約８０ｍｍ程度とする。なお、埋め込み深さは、コンクリート躯体１１の高さ、板ガラス１９の大きさ等を考慮して決定される。支柱１２の下端近傍には、下枠ブラケット１３がビス２０で固着されている。図２に示すように下枠ブラケット１３にガラス下枠１４の後端がビス２１で固定されるとともに、長尺状をしたガラス下枠１４の溝内には、弾性ブロック２２、弾性ガスケット２３、シーリング材２４が配置されている。
【００１６】
ガイドプレート１５は、図４に示すように基板部２５とガスケット枠取り付け部２６とから成り、両部材は細幅で上に折曲された首部１５ａで接続されている。また、ガイドプレート１５の基板部２５は、それぞれ一部を下方に向かって切り下げた複数の係止爪２５ａとビス穴２５ｂを備えている。ガスケット枠取り付け部２６は、水平部に下方に向かって切り下げた係止爪２６ａとビス穴２６ｂを有している。
【００１７】
このような構成のガイドプレート１５は、図２、３に示すようにビス穴２５ｂによって支柱１２の頂部にタッピングねじ２７によって固定される。また、ガスケット枠取り付け部２６には、ネジ２８によってガスケット枠１６が固定される。ガスケット枠１６の板ガラス側には、弾性ガスケット２９が装着されている。また、ガイドプレート１５の上には、笠木受け１７が固着される。笠木受け１７は、シーリング材３５を介してガラス板１９を支える支持片１７ａと、この支持片１７ａとほぼ平行に立設された第１の爪１７ｂと、上面のベランダ側に立設された第２の爪１７ｃと、位置決め片１７ｄを有している。ここで、第２の爪１７ｃと位置決め片１７ｄは、ほぼ同じ高さ寸法を有している。第１の爪１７ｂは、ベランダと逆側に向いた係止爪１７０を有している。また、図１２に拡大して示すように笠木受け１７に立設された第２の爪１７ｃは、板ガラス側に向かって突出した突出部１７１を有している。
【００１８】
笠木１８は、図３に示すようにガスケット枠１６及びガスケット枠取り付け部２６の先端と係合する前面垂下片３０と、この笠木受け１７の第１の爪１７ｂと係合する第１の係合爪３１と、この笠木受け１７の第２の爪１７ｃと係合する第２の係合爪３２とを有している。第１の係合爪３１は、下端にベランダ側に向いた係止爪３１ａを有している。第２の係合爪３２は、水平部３２ａと下方に延びた係合部３２ｂとから構成されている。また、笠木１８は、全体的に上に凸の長尺形状をしている。
【００１９】
次に、以上のように構成された本発明に係るガラス持出し手摺１０の組み立て手順について図５〜図１０にしたがって説明する。支柱１２の頭部にガイドプレート１５を載せ、その上から笠木受け１７を載せてタッピングねじ２７で固定する。また、ガスケット枠取り付け部２６には、ガスケット枠１６がネジ２８で取り付けられている。更に、ガスケット枠１６のガラス板側に弾性ガスケット２９が固着されている。
【００２０】
この状態の手摺ユニットを、躯体に穿孔された孔に基端部１２ａを挿入し、充填、接着材を用いて固定する。また、支柱１２の下端にビス２０で固定された下枠ブラケット１３には、ガラス下枠１４が固定されている。ガラス下枠１４の溝には、弾性ブロック２２、弾性ガスケット２３が設置され、板ガラス１９の下端を保持する。
【００２１】
次に、図６に示すように、笠木受け１７とガスケット枠１６の間から板ガラス１９を落とし込む。この際、ガイドプレート１５の首部１５ａが細幅に構成されているので、板ガラス１９を落とし込む邪魔になることがない。また、支持片１７ａのガラス側には、図７に示すようにシーリング材３５が打ち込まれる。また、同時に図２に示すようにシーリング材２４を打ち込む。シーリング材２４、３５が硬化した事を確認した後、図８に示すように前面垂下片３０の内側をガスケット枠１６に当接させながら、笠木１８を上から笠木受け１７に装着する。装着後、笠木１８をベランダ側に移動すると、第１の爪１７ｂと笠木１８の第１の係合爪３１が係合し、第２の爪１７ｃと第２の係合爪３２の係合部３２ｂが係合する。その後、タッピングねじ３６によって笠木受け１７と笠木１８を固定する。図１０は、その完成図である。
【００２２】
図１１は、本発明のガラス持出し手摺における笠木を取り外す場合を示す説明図である。タッピングねじ３６を外してから、笠木１８を矢印Ｌ方向に押すと、図１２に示すように第２の爪１７ｃの突出部１７１と第２の係合爪３２の係合部３２ｂが係合が解除される。
【図面の簡単な説明】
【００２３】
【図１】図１は、本発明に係るガラス持出し手摺の一例を示す正面図である。
【図２】図２は、同ガラス持出し手摺の一部を省略した拡大縦断面図である。
【図３】図３は、同ガラス持出し手摺の支柱頭部近傍を示す縦断面図である。
【図４】図４は、同ガラス持出し手摺に使用するガイドプレートを示す斜視図である。
【図５】図５は、同ガラス持出し手摺の組み立て手順を示す説明図である。
【図６】図６は、同ガラス持出し手摺の組み立て手順を示す説明図である。
【図７】図７は、同ガラス持出し手摺の組み立て手順を示す説明図である。
【図８】図８は、同ガラス持出し手摺の組み立て手順を示す説明図である。
【図９】図９は、同ガラス持出し手摺の組み立て手順を示す説明図である。
【図１０】図１０は、同ガラス持出し手摺の組み立て手順を示す説明図である。
【図１１】図１１は、同ガラス持出し手摺における笠木を取り外す場合を示す説明図である。
【図１２】図１２は、同笠木を取り外す場合における笠木と笠木受けとの関係を示す要部説明図である。
【符号の説明】
【００２４】
１０      ガラス持出し手摺
１１      コンクリート躯体
１２      支柱
１２ａ    基端
１３      下枠ブラケット
１４      ガラス下枠
１５      ガイドプレート
１５ａ    首部
１６      ガスケット枠
１７      笠木受け
１７ａ    支持片
１７ｂ    第１の爪
１７ｃ    第２の爪
１８      笠木
１９      板ガラス
２０      ビス
２１      ビス
２２      弾性ブロック
２３      弾性ガスケット
２４      シーリング材
２５      基板部
２５ａ    係止爪
２５ｂ    ビス穴
２６      ガスケット枠取り付け部
２６ａ    係止爪
２６ｂ    ビス穴
２７      タッピングねじ
２８      ネジ
２９      弾性ガスケット
３０      前面垂下片
３１      第１の係合爪
３２      第２の係合爪
３３      頂部
３４      係合凹部
３５      シーリング材
３６      タッピングねじ
【図１】
2006037589.tif 000003
【図２】
2006037589.tif 000004
【図３】
2006037589.tif 000005
【図４】
2006037589.tif 000006
【図５】
2006037589.tif 000007
【図６】
2006037589.tif 000008
【図７】
2006037589.tif 000009
【図８】
2006037589.tif 000010
【図９】
2006037589.tif 000011
【図１０】
2006037589.tif 000012
【図１１】
2006037589.tif 000013
【図１２】
2006037589.tif 000014